(57)【特許請求の範囲】
【請求項１】
それぞれアドレスが設定された操作端末器及び制御端末器を２線式の信号線を介して伝送ユニットに接続し時分割多重の伝送信号にてデータの送受信を行い、伝送ユニットは、アドレスデータを含む伝送信号を信号線に送出することによって操作端末器及び制御端末器を個別にアクセスし、伝送信号に同期して設定した信号返送期間に、監視入力のあった操作端末器からの監視データを受信すると監視データに基づいて制御データを生成し、監視データを発生した操作端末器とアドレスによる対応関係が予め設定されている制御端末器に対して制御データを伝送して制御端末器に接続された照明負荷を制御する遠隔監視制御システムに用いられ、
伝送ユニットとの間で伝送信号を送受信する伝送信号送受信手段と、照明負荷への給電を入切する給電入切手段と、照明負荷の消灯を指示する前記制御データを含む伝送信号を伝送信号送受信手段で受信したときに所定の延長操作受付時間の計時を開始するとともに伝送ユニットに対して照明負荷が消灯状態であることを示す監視データを返信し且つ給電入切手段を制御して照明負荷への給電を継続させる制御手段とを備え、
該制御手段は、前記延長操作受付時間の計時中に伝送ユニットから当該照明負荷の点灯を指示する制御データを含む伝送信号を伝送信号送受信手段で受信すれば当該延長操作受付時間の計時を再度開始し、前記延長操作受付時間の計時中に伝送ユニットから当該照明負荷の点灯を指示する制御データを含む伝送信号を伝送信号送受信手段で受信しなければ当該延長操作受付時間の計時終了後に給電入切手段を制御して照明負荷への給電を停止することを特徴とする遠隔監視制御システムの制御端末器。
【請求項２】
前記給電入切手段は、電源から照明負荷への給電路に挿入された外付けのリレーを駆動することを特徴とする請求項１記載の遠隔監視制御システムの制御端末器。
【請求項３】
前記給電入切手段は、電源から照明負荷への給電路に挿入されたリレーを具備し、当該リレーを駆動することを特徴とする請求項１記載の遠隔監視制御システムの制御端末器。
【請求項４】
前記照明負荷への給電量を調節して調光する調光手段を備え、前記制御手段は、前記延長操作受付時間の計時中に照明負荷を定格点灯するか若しくは前記調光手段によって調光点灯させることを特徴とする請求項１記載の遠隔監視制御システムの制御端末器。
【請求項５】
前記制御手段は、照明負荷の消灯を指示する前記制御データに基づいて前記延長操作受付時間の計時を開始する際に前記給電入切手段を制御して当該照明負荷を一旦消灯させた後に再度点灯させることを特徴とする請求項１〜４の何れか１項に記載の遠隔監視制御システムの制御端末器。
【発明の詳細な説明】
【技術分野】
【０００１】
本発明は、遠隔監視制御システムに用いられる制御端末器に関するものである。
【背景技術】
【０００２】
従来から、図１４に示す構成の遠隔監視制御システムが知られている（例えば、特許文献１参照）。この遠隔監視制御システムでは、伝送ユニット１００に接続された２線式の信号線Ｌｓに複数台ずつの操作端末器１０１および制御端末器１０２が接続される。図示例では操作端末器１０１として、個別スイッチ１０１ａ、パターンスイッチ１０１ｂが設けられる。各操作端末器１０１および各制御端末器１０２にはそれぞれアドレスが設定されており、伝送ユニット１００はアドレスを用いて操作端末器１０１および制御端末器１０２を識別する。個別スイッチ１０１ａとパターンスイッチ１０１ｂとはそれぞれ監視入力を発生させるスイッチＳａ，Ｓｂを備え、制御端末器１０２は負荷（図示例では照明負荷Ｌ）を制御するリレーを内蔵する。また、操作端末器１０１には照明負荷Ｌの動作状態を確認するための発光ダイオードよりなる確認灯（図示せず）が設けられている。ここに、リレーには一般にラッチング型のものが用いられ、制御端末器１０２がリレーを動作させる際にはリレーにパルス的に電源を供給する。制御端末器１０２はリレーを外部に持つ形式のものもあり、この場合には別途に設けたトランスからリレーにパルス的に給電する。
【０００３】
伝送ユニット１００は信号線Ｌｓに対して、図１５（ａ）に示すフォーマットの伝送信号Ｖｓを送出する。伝送信号Ｖｓは、信号送出開始を示す同期信号ＳＹ、伝送信号Ｖｓのモードを示すモードデータＭＤ、操作端末器１０１や制御端末器１０２を各別に呼び出すためのアドレスデータＡＤ、照明負荷Ｌを制御する制御データＣＤ、伝送誤りを検出するためのチェックサムデータＣＳ、操作端末器１０１や制御端末器１０２からの返送信号（監視データ）を受信するタイムスロットである信号返送期間ＷＴよりなる双極性（±２４Ｖ）の時分割多重信号であり、パルス幅変調によってデータが伝送される（図１５（ｂ））。各操作端末器１０１および各制御端末器１０２では、信号線Ｌｓを介して受信した伝送信号Ｖｓにより伝送されたアドレスデータＡＤが、各操作端末器１０１あるいは各制御端末器１０２においてあらかじめ設定されているアドレスに一致すると、伝送信号Ｖｓから制御データＣＤを取り込むとともに、伝送信号Ｖｓの信号返送期間ＷＴに監視データを電流モード信号（信号線Ｌｓの線間を開放した状態と低インピーダンスを挿入した状態とで表される電流変化による２値信号）で返送する。
【０００４】
伝送ユニット１００から所望の操作端末器１０１あるいは制御端末器１０２にデータを伝送する場合には、モードデータＭＤを制御モードとし、操作端末器１０１あるいは制御端末器１０２に設定されたアドレスをアドレスデータＡＤとする伝送信号Ｖｓを送出し、この伝送信号Ｖｓを信号線Ｌｓに送出すれば、アドレスデータＡＤに一致するアドレスを有した操作端末器１０１または制御端末器１０２が制御データＣＤを受け取り、信号返送期間ＷＴに監視データを返送する。伝送ユニット１００では送出した制御データＣＤと信号返送期間ＷＴに受信した監視データとの関係によって制御データＣＤが所望の操作端末器１０１または制御端末器１０２に伝送されたことを確認する。制御端末器１０２は受け取った制御データＣＤに従って照明負荷Ｌを制御するための負荷制御信号を出力し、操作端末器１０１では受け取った制御データＣＤに従って照明負荷Ｌの動作確認表示を行なうための監視信号を出力する。
【０００５】
一方、伝送ユニット１００は通常時にはモードデータＭＤをダミーモードとした伝送信号Ｖｓを一定時間間隔で送出しており（常時ポーリング）、操作端末器１０１においてスイッチＳａ，Ｓｂの操作に伴う監視入力が発生すると、操作端末器１０１は伝送ユニット１００に対して監視入力の発生を伝送しようとする。すなわち、この操作端末器１０１はダミーモードの伝送信号Ｖｓの同期信号ＳＹに同期させて図１５（ｃ）のような割込信号を発生させ、同時に割込フラグを設定して伝送ユニット１００との以後の情報授受に備える。伝送ユニット１００では割込信号を受信すると、モードデータＭＤを割込ポーリングモードとしかつアドレスデータＡＤの上位の半数のビット（アドレスデータＡＤを８ビットとすれば上位４ビット）を順次増加させながら伝送信号を送出し、割込信号を発生した操作端末器１０１では、割込ポーリングモードの伝送信号のアドレスデータＡＤの上位４ビットが操作端末器１０１に設定されているアドレスの上位４ビットに一致するときに、信号返送期間ＷＴにアドレスの下位の半数のビットを伝送ユニット１００に返送する。このように、伝送ユニット１００は割込信号を発生した操作端末器１０１を１６個ずつまとめて探すので、比較的短い時間で操作端末器１０１を発見することができる。
【０００６】
伝送ユニット１００が割込信号を発生した操作端末器１０１のアドレスを獲得するとモードデータＭＤを監視モードとし、獲得したアドレスデータＡＤを持つ伝送信号Ｖｓを信号線Ｌｓに送出する。この伝送信号Ｖｓに対して操作端末器１０１は伝送しようとする情報を信号返送期間ＷＴに返送する。最後に、伝送ユニット１００は割込信号を発生した操作端末器１０１に対して割込リセットを指示する信号を送出し、操作端末器１０１の割込フラグを解除する。以上のようにして、操作端末器１０１から伝送ユニット１００への情報伝送は、伝送ユニット１００から操作端末器１０１への４回の信号伝送（ダミーモード、割込ポーリングモード、監視モード、割込リセット）によって完了する。伝送ユニット１００が所望の制御端末器１０２の動作状態を知ろうとするときには、モードデータＭＤを監視データとした伝送信号を送出するだけでよい。
【０００７】
上述の動作を簡単にまとめる。まず、操作端末器１０１においてスイッチＳａ，Ｓｂの操作に伴う監視入力が発生すると、操作端末器１０１から監視入力に対応した監視データを伝送ユニット１００に返送し、伝送ユニット１００が制御端末器１０２に制御データＣＤを伝送すると、制御端末器１０２は負荷制御信号を出力して照明負荷Ｌを制御する。ここで、制御端末器１０２には負荷監視入力が与えられ、負荷監視入力に対応する監視データを伝送ユニット１００に返送し、返送された監視データを操作端末器１０１に伝送する。この伝送信号によって操作端末器１０１では監視信号を出力する。監視信号は通常は確認灯の点灯・消灯に用いられる。
【０００８】
ところで、各操作端末器１０１において最大４回路の監視入力を受け付けることを可能とし（個別スイッチ１０１ａには最大４個のスイッチＳａを設けることができる）、また各制御端末器１０２において最大４回路の照明負荷Ｌを接続することを可能とするために、伝送信号ＶｓのアドレスデータＡＤにはアドレスを拡張する２ビットの負荷番号が設けられている。つまり、各操作端末器１０１および各制御端末器１０２には最大４個ずつのアドレスが設定可能になっている。各操作端末器１０１および各制御端末器１０２に設定される４個のアドレスのうち負荷番号を除く部分は端末器の種別（操作端末器１０１か制御端末器１０２かなどの種別）を表す部分とチャンネル（対応関係を持つ操作端末器１０１と制御端末器１０２とは同一チャンネルが設定される）を表す部分とから構成される。言い換えると、各スイッチＳａ，Ｓｂおよび各照明負荷Ｌにはそれぞれ個別のアドレスが付与されていることになる。また、互いに一対一に対応する個別スイッチ１０１ａと制御端末器１０２とを同チャンネルに設定することで対応関係がわかりやすくなっている。なお、以下の説明では個別スイッチ１０１ａで各照明負荷Ｌを個別に制御することを個別制御と呼ぶことにする。
【０００９】
ところで、この種の遠隔監視制御システムでは、パターンスイッチ１０１ｂのスイッチＳｂと照明負荷Ｌとのアドレスの対応関係を伝送ユニット１００で管理しているから、伝送ユニット１００において１回路のスイッチＳｂのアドレスに複数回路の照明負荷Ｌのアドレスを関係データとして対応付けておけば、１回路のスイッチＳｂで複数回路の照明負荷Ｌを一括して制御することが可能である。このような一括制御にはグループ制御とパターン制御とがある。グループ制御では複数の負荷を同じ制御状態に制御し、パターン制御では複数の負荷をあらかじめ個々に設定した制御状態に制御する。グループ制御やパターン制御は、照明負荷Ｌを制御するときにとくに有効であって、オフィス空間のように多数の照明負荷が配列されているような場所で、複数の照明負荷を一斉に点灯・消灯させる際にグループ制御やパターン制御を利用することができる。図示例ではスイッチＳｂを備えたパターンスイッチ１０１ｂを示しているが、グループ制御用の端末器であるグループスイッチは示していない。ただし、パターン制御やグループ制御では、一括制御用に定められている操作用アドレスを用いる点を除けば他の操作端末器と同様である。
【００１０】
なお、端末器としては、照明負荷Ｌの光出力を調節可能な調光器を内蔵した調光制御端末器１０２ｃや、調光制御端末器１０２ｃを用いた場合の調光量を指示するための調光操作端末器１０１ｃなども用いることができる。
【００１１】
ところで、上記従来の遠隔監視制御システムにおいては、個別スイッチ１０１ａやパターンスイッチ１０１ｂの操作で照明負荷Ｌを点滅する代わりに、予め設定された時刻に自動的に照明負荷Ｌを点滅するような負荷制御（タイマ制御）を行うためのプログラムタイマユニット１０５が設置される場合がある。このプログラムタイマユニット１０５は、一週間の曜日毎に負荷制御の入、切時刻並びに個別制御やグループ制御あるいはパターン制御のような制御内容等を指定するプログラムが記録され、プログラムの設定時刻データを現在時刻データと比較し、両時刻データが一致したときに、内蔵する出力用リレーを開閉することで無電圧の接点信号を出力する。プログラムタイマユニット１０５の複数の接点信号出力端子には各々接点入力端末器１０６の入力端子が接続されており、接点入力端末器１０６ではプログラムタイマユニット１０５から出力される接点信号に応じた監視データを伝送ユニット１００に伝送し、伝送ユニット１００が上記監視データに応じた制御データを制御端末器１０２に伝送することによって、設定時刻にプログラムの制御内容に応じた負荷制御が行われる。なお、プログラムタイマユニット１０５及び接点入力端末器１０６にはリモコントランス１０７が接続されており、このリモコントランス１０７にて交流電源１００Ｖを２４Ｖに降圧して動作電圧が供給されている。
【特許文献１】特開２００３−１１１１５４公報
【発明の開示】
【発明が解決しようとする課題】
【００１２】
ところで、上述のようにプログラムタイマユニット１０５を用いて照明負荷Ｌを自動的に消灯させた場合、設定時刻に照明負荷Ｌが一斉に消灯してしまうと安全上の問題が生じる可能性がある。そのため、設定時刻に照明負荷Ｌを消灯する前に、一旦消灯した後に再度点灯してから一定時間後に完全に消灯することとし、当該一定時間中にスイッチ操作等により点灯の延長を可能とする機能が望まれている。しかしながら、上記従来の制御用端末器１０２では伝送ユニット１００から消灯の制御データを受け取った時点から所定の遅れ時間（前記一定時間に相当）経過後にリレーを駆動して照明負荷Ｌを消灯することは可能であったが、前記遅れ時間中に伝送ユニット１００から点灯の制御データを受け取るとそのまま照明負荷Ｌを点灯してしまい、遅れ時間を延長し且つ当該遅れ時間経過後に照明負荷Ｌを消灯することはできなかった。
【００１３】
本発明は上記事情に鑑みて為されたものであり、その目的は、照明負荷を消灯する際に一定時間だけ消灯を遅らせる場合に照明負荷の消灯を遅らせる時間を任意に延長させることができる遠隔監視制御システムの制御端末器を提供することにある。
【課題を解決するための手段】
【００１４】
請求項１の発明は、上記目的を達成するために、それぞれアドレスが設定された操作端末器及び制御端末器を２線式の信号線を介して伝送ユニットに接続し時分割多重の伝送信号にてデータの送受信を行い、伝送ユニットは、アドレスデータを含む伝送信号を信号線に送出することによって操作端末器及び制御端末器を個別にアクセスし、伝送信号に同期して設定した信号返送期間に、監視入力のあった操作端末器からの監視データを受信すると監視データに基づいて制御データを生成し、監視データを発生した操作端末器とアドレスによる対応関係が予め設定されている制御端末器に対して制御データを伝送して制御端末器に接続された照明負荷を制御する遠隔監視制御システムに用いられ、伝送ユニットとの間で伝送信号を送受信する伝送信号送受信手段と、照明負荷への給電を入切する給電入切手段と、照明負荷の消灯を指示する前記制御データを含む伝送信号を伝送信号送受信手段で受信したときに所定の延長操作受付時間の計時を開始するとともに伝送ユニットに対して照明負荷が消灯状態であることを示す監視データを返信し且つ給電入切手段を制御して照明負荷への給電を継続させる制御手段とを備え、該制御手段は、前記延長操作受付時間の計時中に伝送ユニットから当該照明負荷の点灯を指示する制御データを含む伝送信号を伝送信号送受信手段で受信すれば当該延長操作受付時間の計時を再度開始し、前記延長操作受付時間の計時中に伝送ユニットから当該照明負荷の点灯を指示する制御データを含む伝送信号を伝送信号送受信手段で受信しなければ当該延長操作受付時間の計時終了後に給電入切手段を制御して照明負荷への給電を停止することを特徴とする。
【００１５】
請求項２の発明は、請求項１の発明において、前記給電入切手段は、電源から照明負荷への給電路に挿入された外付けのリレーを駆動することを特徴とする。
【００１６】
請求項３の発明は、請求項１の発明において、前記給電入切手段は、電源から照明負荷への給電路に挿入されたリレーを具備し、当該リレーを駆動することを特徴とする。
【００１７】
請求項４の発明は、請求項１の発明において、前記照明負荷への給電量を調節して調光する調光手段を備え、前記制御手段は、前記延長操作受付時間の計時中に照明負荷を定格点灯するか若しくは前記調光手段によって調光点灯させることを特徴とする。
【００１８】
請求項５の発明は、請求項１〜４の何れか１項の発明において、前記制御手段は、照明負荷の消灯を指示する前記制御データに基づいて前記延長操作受付時間の計時を開始する際に前記給電入切手段を制御して当該照明負荷を一旦消灯させた後に再度点灯させることを特徴とする。
【発明の効果】
【００１９】
請求項１〜４の発明によれば、消灯指示の制御データを受け取った場合、制御手段が伝送ユニットに対して消灯の監視データを返信し、延長操作受付時間の計時中に操作端末器からスイッチ操作の監視データを受けた伝送ユニットから点灯指示の制御データが送信され、当該点灯指示の制御データを受け取った場合に制御手段が延長操作受付時間の計時を再度開始するので、照明負荷を消灯する際に一定時間だけ消灯を遅らせる場合に照明負荷の消灯を遅らせる時間（延長操作受付時間）を任意に延長させることができる。
【００２０】
請求項５の発明によれば、延長操作受付時間の計時を開始する際に前記給電入切手段を制御して当該照明負荷を一旦消灯させた後に再度点灯させることによって、照明負荷の消灯を知らせることができる。
【発明を実施するための最良の形態】
【００２１】
（実施形態１）
図１に本実施形態の制御端末器（リレー端末器）１を含む遠隔監視制御システムのシステム構成図を示す。但し、図１のシステム構成は一例であって、これに限定する趣旨ではない。
【００２２】
リレー端末器１と、スイッチＳを具備した個別制御用の操作端末器（個別スイッチ）１０１Ａ，１０１Ｂ，１０１Ｃと、プログラムタイマユニット１０８とが２線式の信号線Ｌｓを介して伝送ユニット１００に接続されている。なお、プログラムタイマユニット１０８は伝送信号を送受信する手段を有しており、従来のプログラムタイマユニット１０５と異なり接点入力端末器１０６を介さずに直接信号線Ｌｓに接続されて伝送ユニット１００との間で伝送信号を授受するものである。
【００２３】
個別スイッチ１０１Ａ，１０１Ｂ，１０１Ｃは、押釦型のスイッチＳａと、監視信号に応じて点滅する確認灯ＬＤ１，ＬＤ２とを具備している。一方の確認灯ＬＤ１は赤色発光ダイオードからなり、原則として照明負荷Ｌが点灯しているときに点灯するとともに照明負荷Ｌが消灯しているときに消灯することで照明負荷Ｌの状態を表示するものである。また、他方の確認灯ＬＤ２は緑色発光ダイオードからなり、原則として照明負荷Ｌが点灯しているときに消灯するとともに照明負荷Ｌが消灯しているときに点灯することでスイッチＳａの位置を表示するものである。
【００２４】
本実施形態のリレー端末器１は図２に示す回路構成を有するものであって、４つのラッチングリレー２1〜２4と、これら４つのラッチングリレー２1〜２4を各別に駆動するリレー駆動部３と、信号線Ｌｓを介して伝送ユニット１００との間で伝送信号を送受信する伝送信号送受信部４と、従来技術で説明したチャンネル（アドレスの一部）を設定するためのディップスイッチＤＳ１からなるアドレス設定部５と、延長操作受付時間（遅れ時間）の時間設定や遅れオフ動作（後述する）の入切用アドレスなどを設定するためのディップスイッチＤＳ２からなる設定部６と、端末器全体の制御を行う端末器処理部７とを備えている。但し、ディップスイッチＤＳ１，ＤＳ２の代わりにロータリスイッチでアドレス設定部５並びに設定部６を構成してもよい。
【００２５】
アドレス設定部５及び設定部６の代わりに光ワイヤレス信号を用いて外部から設定可能なＥＥＰＲＯＭ等からなるメモリ部８を備える場合は図３に示す構成となる。図３の回路では、ＥＥＰＲＯＭからなるメモリ部８にアドレスや延長操作受付時間の設定時間等のデータを書き込んだり、書き込まれているデータを読み出すために、光ワイヤレス信号を送受信するためのワイヤレス信号送受信回路部９と、光ワイヤレス信号で設定する内容を切り替える設定切替部１０とが設けてあり、ワイヤレス信号送受信回路部９は外部の設定器（図示せず）から光ワイヤレス信号を受信すると設定器からの指示に応じてメモリ部８にデータを書き込んだり、書き込まれているデータを設定器に返送したりする。図３の構成を採用すれば、ディップスイッチＤＳ１，２を操作する場合に比較して設定作業が容易になるのである。
【００２６】
ラッチングリレー２1〜２4は２巻線の磁気保持型ラッチングリレーからなり、リレー駆動部３によりセットコイル又はリセットコイルに１ショットで励磁電流が流れると、反転動作して、商用電源ＡＣと照明負荷Ｌとの間に挿入された主開閉接点Ｓを現在の状態から反転動作させ、その動作状態を励磁電流が無くなっても永久磁石により保持し、この永久磁石の保持状態を解除する方向の励磁電流がセットコイル又はリセットコイルに流れると反転動作を行い、その動作状態を保持するものである。すなわち、本実施形態ではラッチングリレー２1〜２4とリレー駆動部３が給電入切手段に相当する。
【００２７】
伝送信号送受信部４は伝送信号Ｖｓを受信して端末器処理部７へ送るとともに、端末器処理部７からの返信データに基づいて所定のインピーダンスを介して信号線Ｌｓを短絡し、電流モードの返信信号を送信する機能を持つ。端末器処理部７はアドレス設定部５に設定されたアドレスに一致するアドレスデータＡＤを持つ伝送信号Ｖｓが受信されると制御データＣＤを取り込み、制御データＣＤに基づいてリレー駆動部３を通じてラッチングリレー２1〜２4を動作させる。またラッチングリレー２1〜２4の主開閉接点Ｓの状態（オン状態又はオフ状態）をラッチングリレー２1〜２4に設けられている補助接点から取り込み、監視データとして伝送信号送受信部４より返信信号により返信させる機能を備えている。
【００２８】
さらに端末器処理部７は、照明負荷Ｌの消灯を指示する制御データＣＤを受け取ったときに延長操作受付時間（遅れ時間）の計時を開始するとともに伝送ユニット１００に対して照明負荷Ｌが消灯状態であることを示す監視データを返信し且つ延長操作受付時間の計時が終了するまではリレー駆動部３にラッチングリレー２1〜２4を駆動させずに照明負荷Ｌへの給電を継続させる機能（遅れオフ動作機能）を有している。すなわち、本実施形態では端末器処理部７が制御手段に相当する。なお、ラッチングリレー２1〜２4や端末器処理部７等の動作電源は、図示しない電源回路で伝送信号Ｖｓを整流して得ている。
【００２９】
リレー端末器１は、図４に示すように略箱形の合成樹脂成形品からなる器体１１を備え、上述の回路を搭載したプリント配線板（図示せず）がラッチングリレー２1〜２4とともに収納されている。器体１１は、所謂分電盤協約寸法（ＪＩＳ  Ｃ８３７０  付属書５参照）に対応した寸法に形成されており、長手方向における一端側（図４（ａ）では下側）にはラッチングリレー２1〜２4の主開閉接点Ｓに接続する一対のねじ端子１２が４組並設され、長手方向における他端側（図４（ａ）では上側）には信号線Ｌｓを接続する一対のねじ端子１３が配設され、さらに、長手方向における略中央部にはアドレス設定部５のディップスイッチＤＳ１と設定部６のディップスイッチＤＳ２が並設されている。したがって、本実施形態のリレー端末器１は住宅用分電盤（住宅盤）内の取り付け板に取り付けて、住宅盤の内器である分岐ブレーカなどと並設することができる。なお、器体の形状は図４に示すものに限定する趣旨ではなく、また、住宅盤内に収納する代わりにシステム天井の吊りボルトに取り付ける構造を採用しても構わない。
【００３０】
ここで、図１に示すシステム構成例では、照明負荷Ｌがリレー端末器１の負荷番号＝１のラッチングリレー２1に接続され、アドレス設定部５には個別制御用のチャンネル＝０が設定されるとともに、設定部６には遅れオフ動作機能の入切用アドレスとしてチャンネル＝１と負荷番号＝１が設定されている。なお、以下ではチャンネルと負荷番号をハイフンでつなげることにより、例えば、チャンネル＝１，負荷番号＝１のアドレスを１−１と表記する。
【００３１】
一方、個別スイッチ１０１Ａ，１０１Ｂ，１０１Ｃには個別制御用のアドレスとして０−１が設定され、さらに個別スイッチ１０１Ｂ，１０１Ｃには遅れオフ動作機能の入切用アドレスとして１−１も設定されている。ここで個別スイッチ１０１Ｂでは、スイッチＳａの操作に伴う監視入力が発生した場合に個別制御用アドレス（０−１）とオフ（消灯）の指令からなる監視データ及び遅れオフ動作機能の入切用アドレス（１−１）とオフ（遅れオフ動作切）の指令からなる監視データを伝送ユニット１００に送信するように設定されている。また個別スイッチ１０１Ｃでは、スイッチＳａの操作に伴う監視入力が発生した場合に個別制御用アドレス（０−１）とオン（点灯）の指令からなる監視データ及び遅れオフ動作機能の入切用アドレス（１−１）とオン（遅れオフ動作入）の指令からなる監視データを伝送ユニット１００に送信するように設定されている。
【００３２】
また、プログラムタイマユニット１０８では、予めプログラムされた時刻になると個別制御用アドレス（０−１）と点灯又は消灯の指令からなる監視データを伝送ユニット１００に送信するように設定されている。
【００３３】
例えば、図５のタイムチャートに示すように照明負荷Ｌが消灯しているときは個別スイッチ１０１Ａ，１０１Ｂ，１０１Ｃの確認灯ＬＤ１は全て消灯し且つ確認灯ＬＤ２は全て点灯しており、この状態で個別スイッチ１０１ＡのスイッチＳａが操作されると、個別スイッチ１０１Ａから伝送ユニット１００に監視データ（個別制御用アドレスの０−１）が送信され、伝送ユニット１００が当該監視データに対応して照明負荷Ｌの動作を反転（点灯）させる指令を制御データＣＤとしてリレー端末器１に送信し、当該制御データＣＤに応じて端末器処理部７がリレー駆動部３を制御しラッチングリレー２1をオン駆動して主開閉接点Ｓをオンすることで照明負荷Ｌが点灯する。また、端末器処理部７がラッチングリレー２1の主開閉接点Ｓがオン状態であることを示す監視データを伝送ユニット１００に返信し、伝送ユニット１００から個別スイッチ１０１Ａ，１０１Ｂ，１０１Ｃに対して当該監視データが送信されて、個別スイッチ１０１Ａ，１０１Ｂ，１０１Ｃの確認灯ＬＤ１が全て点灯し且つ確認灯ＬＤ２が全て消灯する。
【００３４】
予めプログラムされた消灯時刻になるとプログラムタイマユニット１０８から伝送ユニット１００に対して監視データ（個別制御用アドレスの０−１と消灯の指令）が送信され、伝送ユニット１００が当該監視データに対応して照明負荷Ｌを消灯させる指令を制御データＣＤとしてリレー端末器１に送信する。リレー端末器１の端末器処理部７は、当該指令を受け取ると遅れオフ動作機能によって遅れ時間（延長操作受付時間）Ｔｄの計時を開始するとともにラッチングリレー２1の主開閉接点Ｓをオン状態に維持し、さらに実際の動作状態とは関係なしに主開閉接点Ｓがオフ状態であることを示す監視データを伝送ユニット１００に返信する。その結果、伝送ユニット１００から個別スイッチ１０１Ａ，１０１Ｂ，１０１Ｃに対して当該監視データが送信されて、個別スイッチ１０１Ａ，１０１Ｂ，１０１Ｃの確認灯ＬＤ１が全て消灯し且つ確認灯ＬＤ２が全て点灯する。
【００３５】
そして、遅れ時間Ｔｄの計時中に個別スイッチ１０１ＡのスイッチＳａが操作されて個別スイッチ１０１Ａから伝送ユニット１００に監視データ（個別制御用アドレスの０−１）が送信され、伝送ユニット１００が当該監視データに対応して照明負荷Ｌの動作を反転（点灯）させる指令を制御データＣＤとしてリレー端末器１に送信すれば、当該制御データＣＤを受け取った端末器処理部７が計時中の遅れ時間（延長操作受付時間）Ｔｄをリセットして再度初めから計時を開始するとともに主開閉接点Ｓがオン状態であることを示す監視データを伝送ユニット１００に返信する。その結果、伝送ユニット１００から個別スイッチ１０１Ａ，１０１Ｂ，１０１Ｃに対して当該監視データが送信されて、個別スイッチ１０１Ａ，１０１Ｂ，１０１Ｃの確認灯ＬＤ１が全て点灯し且つ確認灯ＬＤ２が全て消灯する。また、遅れ時間Ｔｄの計時中に個別スイッチ１０１ＡのスイッチＳａが操作されず、照明負荷Ｌを点灯する指令を受け取らなかった場合、端末器処理部７は遅れ時間（延長操作受付時間）Ｔｄが終了した時点でリレー駆動部３を制御してラッチングリレー２1の主開閉接点Ｓをオフすることで照明負荷Ｌを消灯し、さらに主開閉接点Ｓがオフ状態であることを示す監視データを伝送ユニット１００に返信する。その結果、伝送ユニット１００から個別スイッチ１０１Ａ，１０１Ｂ，１０１Ｃに対して当該監視データが送信されて、個別スイッチ１０１Ａ，１０１Ｂ，１０１Ｃの確認灯ＬＤ１が全て消灯し且つ確認灯ＬＤ２が全て点灯する。
【００３６】
また、照明負荷Ｌが消灯しているときに個別スイッチ１０１ＣのスイッチＳａが操作されると、個別制御用アドレス（０−１）とオン（点灯）の指令からなる監視データ及び遅れオフ動作機能の入切用アドレス（１−１）とオン（遅れオフ動作入）の指令からなる監視データが伝送ユニット１００に送信され、伝送ユニット１００が当該監視データに対応して照明負荷Ｌの動作を反転（点灯）させる指令と遅れオフ動作入の指令を制御データＣＤとしてリレー端末器１に送信する。リレー端末器１では、当該制御データＣＤに応じて端末器処理部７がリレー駆動部３を制御しラッチングリレー２1をオン駆動して主開閉接点Ｓをオンすることで照明負荷Ｌを点灯するとともに遅れオフ動作機能を有効（入）とする。また、端末器処理部７はラッチングリレー２1の主開閉接点Ｓがオン状態であることを示す監視データを伝送ユニット１００に返信し、伝送ユニット１００から個別スイッチ１０１Ａ，１０１Ｂ，１０１Ｃに対して当該監視データが送信されて、個別スイッチ１０１Ａ，１０１Ｂ，１０１Ｃの確認灯ＬＤ１が全て点灯し且つ確認灯ＬＤ２が全て消灯する。
【００３７】
そして、予めプログラムされた消灯時刻になるとプログラムタイマユニット１０８から伝送ユニット１００に対して監視データ（個別制御用アドレスの０−１と消灯の指令）が送信され、伝送ユニット１００が当該監視データに対応して照明負荷Ｌを消灯させる指令を制御データＣＤとしてリレー端末器１に送信すれば、当該指令を受け取ったリレー端末器１の端末器処理部７が遅れオフ動作機能によって遅れ時間（延長操作受付時間）Ｔｄの計時を開始するとともにラッチングリレー２1の主開閉接点Ｓをオン状態に維持し、さらに実際の動作状態とは関係なしに主開閉接点Ｓがオフ状態であることを示す監視データを伝送ユニット１００に返信する。その結果、伝送ユニット１００から個別スイッチ１０１Ａ，１０１Ｂ，１０１Ｃに対して当該監視データが送信されて、個別スイッチ１０１Ａ，１０１Ｂ，１０１Ｃの確認灯ＬＤ１が全て消灯し且つ確認灯ＬＤ２が全て点灯する。
【００３８】
さらに、遅れ時間Ｔｄの計時中に個別スイッチ１０１ＢのスイッチＳａが操作されると、個別制御用アドレス（０−１）とオフ（消灯）の指令からなる監視データ及び遅れオフ動作機能の入切用アドレス（１−１）とオフ（遅れオフ動作切）の指令からなる監視データが伝送ユニット１００に送信され、伝送ユニット１００が当該監視データに対応して照明負荷Ｌの動作を反転（消灯）させる指令と遅れオフ動作切の指令を制御データＣＤとしてリレー端末器１に送信する。リレー端末器１では、当該制御データＣＤに応じて端末器処理部７がリレー駆動部３を制御しラッチングリレー２1をオフ駆動して主開閉接点Ｓをオフすることで照明負荷Ｌを消灯するとともに遅れオフ動作機能を無効（切）とする。また、端末器処理部７はラッチングリレー２1の主開閉接点Ｓがオフ状態であることを示す監視データを伝送ユニット１００に返信し、伝送ユニット１００から個別スイッチ１０１Ａ，１０１Ｂ，１０１Ｃに対して当該監視データが送信されて、個別スイッチ１０１Ａ，１０１Ｂ，１０１Ｃの確認灯ＬＤ１が全て消灯し且つ確認灯ＬＤ２が全て点灯する。すなわち、遅れ時間Ｔｄの計時中に個別スイッチ１０１ＢのスイッチＳａを操作すれば、遅れ時間Ｔｄの計時を中断して直ちに照明負荷Ｌを消灯させることができる。
【００３９】
而して本実施形態では、リレー端末器１が遅れ時間（延長操作受付時間）Ｔｄの計時中に照明負荷Ｌの点灯指令を受け取った場合、制御手段たる端末器処理部７が遅れ時間（延長操作受付時間）Ｔｄの計時を再度開始して照明負荷Ｌの消灯を遅らせる遅れ時間Ｔｄを任意に延長させることができる。なお、遅れ時間（延長操作受付時間）Ｔｄは設定部６において、例えば、５分、１０分、２０分、３０分のうちから択一的に設定可能である。
【００４０】
ここで、従来技術でも説明したようにプログラムタイマユニット１０８を用いて照明負荷Ｌを自動的に消灯させた場合、設定時刻に照明負荷Ｌが一斉に消灯してしまうと安全上の問題が生じる可能性があるから、設定時刻に照明負荷Ｌを消灯する前に、一旦消灯した後に再度点灯することで照明負荷Ｌの消灯を予告することが望ましい。そこで本実施形態のリレー端末器１では、上述のような予告点滅の有無が設定部６において設定可能となっており、設定部６で予告点滅有りと設定されているときには、伝送ユニット１００から消灯指令を受け取った端末器処理部７がリレー駆動部３を制御して短時間にラッチングリレー２1の主開閉接点Ｓをオンからオフ、さらにオンさせることで照明負荷Ｌの予告点滅を行う。なお、設定部６に対する予告点滅の有無の設定は、予告点滅設定用のアドレスを設定した個別スイッチ（図示せず）の操作によって端末器処理部７が行うようにすればよい。
【００４１】
なお、本実施形態では負荷制御用のラッチングリレーを内蔵したリレー端末器を例示したが、図６や図７に示すように外付けのラッチングリレー（図示せず）を接続する接続端子１２1〜１２4と、接続端子１２1〜１２4に接続されるラッチングリレーを駆動するリレー駆動部３1〜３4とを備えたリレー制御端末器であっても構わない。但し、図６に示す回路構成ではディップスイッチＤＳ１からなるアドレス設定部５とディップスイッチＤＳ２からなる設定部６を備え、図７に示す回路構成ではメモリ部８、ワイヤレス信号送受信回路部９、設定切替部１０を備えている。
【００４２】
（実施形態２）
本実施形態の制御端末器は、白熱灯からなる照明負荷Ｌへの給電量を調節して調光する調光制御端末器２０であり、図８に示すようにラッチングリレー２１と、ラッチングリレー２１を駆動するリレー駆動部２２と、信号線Ｌｓを介して伝送ユニット１００との間で伝送信号を送受信する伝送信号送受信部２３と、チャンネルを設定するためのディップスイッチＤＳ１からなるアドレス設定部２４と、延長操作受付時間（遅れ時間）の時間設定や遅れオフ動作（後述する）の入切用アドレスなどを設定するためのディップスイッチＤＳ２からなる設定部２５と、ラッチングリレー２１を介して商用電源ＡＣから照明負荷Ｌへの給電量を調節して調光する調光部２６と、端末器全体の制御を行う端末器処理部２７とを備えている。但し、ラッチングリレー２１、リレー駆動部２２、伝送信号送受信部２３、アドレス設定部２４、設定部２５については実施形態１におけるリレー端末器１のものと共通であるから説明を省略する。また、ディップスイッチＤＳ１，ＤＳ２の代わりにロータリスイッチでアドレス設定部２４並びに設定部２５を構成してもよい。
【００４３】
調光部２６にはトライアックのような位相制御素子が設けられ、位相制御可能範囲で最大の明るさ（通常は定格点灯時の明るさ）を１００％として１００分率で示した調光データ（制御データ）を伝送ユニット１００から受け取ると、端末器処理部２７が商用電源ＡＣのゼロクロス点を検出して調光データに対応する位相角でトリガ信号を発生し、このトリガ信号により調光部２６の位相制御素子が商用電源電圧を位相制御して照明負荷Ｌを調光するのである。
【００４４】
また、アドレス設定部２４及び設定部２５の代わりに光ワイヤレス信号を用いて外部から設定可能なＥＥＰＲＯＭ等からなるメモリ部２８を備える場合は図９に示す構成となる。図９の回路では、ＥＥＰＲＯＭからなるメモリ部２８にアドレスや延長操作受付時間の設定時間等のデータを書き込んだり、書き込まれているデータを読み出すために、光ワイヤレス信号を送受信するためのワイヤレス信号送受信回路部２９と、光ワイヤレス信号で設定する内容を切り替える設定切替部３１とが設けてあり、ワイヤレス信号送受信回路部２９は外部の設定器（図示せず）から光ワイヤレス信号を受信すると設定器からの指示に応じてメモリ部２８にデータを書き込んだり、書き込まれているデータを設定器に返送したりする。
【００４５】
調光制御端末器２０は、図１０に示すように略箱形の合成樹脂成形品からなる器体３１を備え、上述の回路を搭載したプリント配線板（図示せず）がラッチングリレー２１とともに収納されている。器体３１は分電盤協約寸法に対応した寸法に形成されており、長手方向における一端側（図１０（ａ）では下側）には商用電源ＡＣを接続する一対のねじ端子３２と照明負荷Ｌを接続する一対のねじ端子３３が並設され、長手方向における他端側（図１０（ａ）では上側）には信号線Ｌｓを接続する一対のねじ端子３４が配設され、さらに、長手方向における略中央部にはアドレス設定部２４のディップスイッチＤＳ１と設定部２５のディップスイッチＤＳ２が並設されている。したがって、本実施形態の調光制御端末器２０も住宅盤内の取り付け板に取り付けて、住宅盤の内器である分岐ブレーカなどと並設することができる。なお、器体の形状は図１０に示すものに限定する趣旨ではなく、また、住宅盤内に収納する代わりにシステム天井の吊りボルトに取り付ける構造を採用しても構わない。
【００４６】
ここで、調光制御端末器２０のアドレス設定部２４には照明負荷Ｌのオン・オフ（点灯・消灯）制御用（個別制御用）のアドレスと、照明負荷Ｌの調光制御用のアドレスとが設定されており、調光制御用のアドレスに対して上述した調光データが制御データＣＤとして伝送ユニット１００から送信されてくる。一方、個別制御用のアドレスについては実施形態１のリレー端末器１と共通であって、例えば、アドレス設定部２４には個別制御用のアドレスとして０−１が設定されるとともに、設定部２５には遅れオフ動作機能の入切用アドレスとして１−１が設定されている。
【００４７】
したがって、図１に示すシステム構成においてリレー端末器１の代わりに本実施形態の調光制御端末器２０を設けた場合であっても、実施形態１と同様に調光制御端末器２０が遅れ時間（延長操作受付時間）Ｔｄの計時中に照明負荷Ｌの点灯指令を受け取った場合、制御手段たる端末器処理部２７が遅れ時間（延長操作受付時間）Ｔｄの計時を再度開始して照明負荷Ｌの消灯を遅らせる遅れ時間Ｔｄを任意に延長させることができる。
【００４８】
ところで、本実施形態においても照明負荷Ｌを消灯する際に予告点滅を行ってもよいが、予告点滅の代わりに調光部２６によって照明負荷Ｌを調光することで予告するようにしても構わない。この場合、図１１又は図１２に示すように予告調光時の明るさ（以下、減光点灯率と呼ぶ。）を設定するための減光点灯率設定部３５を設けることが望ましい。減光点灯率設定部３５は可変抵抗器を具備し、器体３１前面に設けられた操作子（図示せず）を操作して可変抵抗器の抵抗値を調整することによって減光点灯率を設定するものである。そして、端末器処理部２７が減光点灯率設定部３５に設定された減光点灯率（可変抵抗器の抵抗値）を読み取り、当該減光点灯率で照明負荷Ｌを調光点灯して予告調光を行う（図１３のタイムチャート参照）。但し、図１１に示す回路構成ではディップスイッチＤＳ１からなるアドレス設定部２４とディップスイッチＤＳ２からなる設定部２５を備え、図１２に示す回路構成ではメモリ部２８、ワイヤレス信号送受信回路部２９、設定切替部３０を備えている。
【図面の簡単な説明】
【００４９】
【図１】本実施形態の制御端末器（リレー端末器）を含む遠隔監視制御システムの一例を示すシステム構成図である。
【図２】同上のブロック図である。
【図３】同上の他の構成を示すブロック図である。
【図４】同上を示し、（ａ）は正面図、（ｂ）は左側面図、（ｃ）は下面図である。
【図５】同上の動作説明用のタイムチャートである。
【図６】同上のラッチングリレーを内蔵しない構成を示すブロック図である。
【図７】同上のラッチングリレーを内蔵しない他の構成を示すブロック図である。
【図８】実施形態２の制御端末器（調光制御端末器）のブロック図である。
【図９】同上の他の構成を示すブロック図である。
【図１０】同上を示し、（ａ）は正面図、（ｂ）は左側面図、（ｃ）は下面図である。
【図１１】同上のさらに他の構成を示すブロック図である。
【図１２】同上の別の構成を示すブロック図である。
【図１３】同上の動作説明用のタイムチャートである。
【図１４】従来の遠隔監視制御システムの一例を示すシステム構成図である。
【図１５】伝送信号の説明図である。
【符号の説明】
【００５０】
１  リレー端末器（制御端末器）
２1〜２4  ラッチングリレー（給電入切手段）
３  リレー駆動部（給電入切手段）
４  伝送信号送受信部
７  端末器処理部（制御手段）
【図１】
0004710706.tif 000002
【図２】
0004710706.tif 000003
【図３】
0004710706.tif 000004
【図４】
0004710706.tif 000005
【図５】
0004710706.tif 000006
【図６】
0004710706.tif 000007
【図７】
0004710706.tif 000008
【図８】
0004710706.tif 000009
【図９】
0004710706.tif 000010
【図１０】
0004710706.tif 000011
【図１１】
0004710706.tif 000012
【図１２】
0004710706.tif 000013
【図１３】
0004710706.tif 000014
【図１４】
0004710706.tif 000015
【図１５】
0004710706.tif 000016